(57)【特許請求の範囲】
【請求項１】
作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、
前記底面部材の上面に、前記培地から廃液を回収可能とする廃液回収管が配設されているとともに、当該廃液回収管の上面に、前記培地が収容され、
前記廃液回収管と前記側面部材との間に、間隙部材が介挿され、
前記間隙部材は、前記側面部材との接触面から前記底面部材に向かって傾斜が形成されていることを特徴とする養液栽培用栽培ベッド。
【請求項２】
作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、
前記底面部材、前記側面部材、及び前記端面部材が、前記底面部材の下面に配置される本体部と、当該本体部の短手方向両端から立ち上がる側壁部と、を備えた受け皿の上に組み立てられており、
前記底面部材の上面に、前記培地から廃液を回収可能とする廃液回収管が配設されているとともに、当該廃液回収管の上面に、前記培地が収容され、
前記廃液回収管と前記側面部材との間に、間隙部材が介挿され、
前記間隙部材は、前記側面部材との接触面から前記底面部材に向かって傾斜が形成されていることを特徴とする養液栽培用栽培ベッド。
【請求項３】
作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、
前記底面部材、前記側面部材、及び前記端面部材が、支持材によって箱形に支持されており、
前記底面部材の上面に、前記培地から廃液を回収可能とする廃液回収管が配設されているとともに、当該廃液回収管の上面に、前記培地が収容され、
前記廃液回収管と前記側面部材との間に、間隙部材が介挿され、
前記間隙部材は、前記側面部材との接触面から前記底面部材に向かって傾斜が形成されていることを特徴とする養液栽培用栽培ベッド。
【請求項４】
作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、
前記底面部材、前記側面部材、及び前記端面部材が、前記底面部材の下面に配置される本体部と、当該本体部の短手方向両端から立ち上がる側壁部と、を備えた受け皿の上に組み立てられており、
前記底面部材、前記側面部材、及び前記端面部材が、支持材によって箱形に支持されており、
前記底面部材の上面に、前記培地から廃液を回収可能とする廃液回収管が配設されているとともに、当該廃液回収管の上面に、前記培地が収容され、
前記廃液回収管と前記側面部材との間に、間隙部材が介挿され、
前記間隙部材は、前記側面部材との接触面から前記底面部材に向かって傾斜が形成されていることを特徴とする養液栽培用栽培ベッド。
【請求項５】
作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、
前記底面部材の上面に、前記培地から廃液を回収可能とする廃液回収管が配設されているとともに、当該廃液回収管の上面に、前記培地が収容され、
前記廃液回収管は、前記培地との接触面に廃液回収孔が形成され、
前記廃液回収管と前記側面部材との間に、間隙部材が介挿され、
前記間隙部材は、前記側面部材との接触面から前記底面部材に向かって傾斜が形成されていることを特徴とする養液栽培用栽培ベッド。
【請求項６】
作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、
前記底面部材、前記側面部材、及び前記端面部材が、前記底面部材の下面に配置される本体部と、当該本体部の短手方向両端から立ち上がる側壁部と、を備えた受け皿の上に組み立てられており、
前記底面部材の上面に、前記培地から廃液を回収可能とする廃液回収管が配設されているとともに、当該廃液回収管の上面に、前記培地が収容され、
前記廃液回収管は、前記培地との接触面に廃液回収孔が形成され、
前記廃液回収管と前記側面部材との間に、間隙部材が介挿され、
前記間隙部材は、前記側面部材との接触面から前記底面部材に向かって傾斜が形成されていることを特徴とする養液栽培用栽培ベッド。
【請求項７】
作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、
前記底面部材、前記側面部材、及び前記端面部材が、支持材によって箱形に支持されており、
前記底面部材の上面に、前記培地から廃液を回収可能とする廃液回収管が配設されているとともに、当該廃液回収管の上面に、前記培地が収容され、
前記廃液回収管は、前記培地との接触面に廃液回収孔が形成され、
前記廃液回収管と前記側面部材との間に、間隙部材が介挿され、
前記間隙部材は、前記側面部材との接触面から前記底面部材に向かって傾斜が形成されていることを特徴とする養液栽培用栽培ベッド。
【請求項８】
作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、
前記底面部材、前記側面部材、及び前記端面部材が、前記底面部材の下面に配置される本体部と、当該本体部の短手方向両端から立ち上がる側壁部と、を備えた受け皿の上に組み立てられて、
前記底面部材、前記側面部材、及び前記端面部材が、支持材によって箱形に支持されており、
前記底面部材の上面に、前記培地から廃液を回収可能とする廃液回収管が配設されているとともに、当該廃液回収管の上面に、前記培地が収容され、
前記廃液回収管は、前記培地との接触面に廃液回収孔が形成され、
前記廃液回収管と前記側面部材との間に、間隙部材が介挿され、
前記間隙部材は、前記側面部材との接触面から前記底面部材に向かって傾斜が形成されていることを特徴とする養液栽培用栽培ベッド。
【発明の詳細な説明】
【０００１】
【発明の属する技術分野】
本発明は、作物を定植させる培地を収容する栽培ベッドに関し、特に、培地に養液を供給することで作物を栽培する養液栽培で好適に用いられる養液栽培用栽培ベッドに関する。
【０００２】
【従来の技術】
近年、土壌の代わりに固形培地や液体培地に根を張らせ、必要な養分を含んだ水（養液）を供給することで植物を栽培する養液栽培方法が普及しつつある。この養液栽培方法は、土壌から感染する植物病害を抑制できるとともに、連作障害の回避、或いは肥培管理が容易となるなどの様々な利点を有している。
【０００３】
このような養液栽培方法では、作物を定植させる培地を収容するための栽培ベッドが用いられており、例えば、特許第２８８６５２９号公報で開示されているように、発泡スチロールなどの樹脂材料を用いて凹型又はＵ型に一体成形されたものが広く適用されている（第一従来例）。
ところが、上述の第一従来例で示した栽培ベッドにおいては、発泡スチロールなどの樹脂材料から構成されているため、養液や水が過剰に供給されると排水できないため、作物の根腐れや微生物の繁殖を誘因し、作物の生育を阻害してしまうという問題があった。
【０００４】
この問題を解決するために、例えば、特開平４−３０７３１号公報や特開平２−１６３０１４号公報において、発泡スチロールなどの樹脂材料を用いて凹型又はＵ型に形成された栽培ベッドの底面部に傾斜を形成したり、底面部に排水溝を設けたりすることで、廃液を排出しようとする手段が提案されている（第二従来例）。
【０００５】
【発明の解決しようとする課題】
しかしながら、第一の従来例で示した栽培ベッドにおいては、成形工場などで凹型或いはＵ型に一体成形しなければならないため、コストが増大してしまうという不具合があった。
また、この栽培ベッドを積み重ねて搬送する場合、一体成形によって形成されているため占有面積が広く、搬送効率が良好ではないという不具合があった。
【０００６】
さらに、栽培ベッドの一部に破損が生じた場合、この栽培ベッド全体を交換する必要があり、作業効率が不良であるとともに、コストが増大してしまうという不具合があった。
一方、第二の従来例で示した栽培ベッドにおいては、廃液を回収するための内部構造を有しているため、特殊成形によって形成しなければならず、コストが増大してしまうという不具合があった。
【０００７】
また、栽培ベッドの内部構造が複雑なため、栽培ベッド内部の洗浄が非常に煩わしいという不具合もあった。
そこで、本発明は、上記事情に鑑みてなされたものであり、簡易な構造を有し、取り扱い性及び搬送性に優れた養液栽培用栽培ベッドを安価で提供することを課題としている。
【０００８】
【課題を解決するための手段】
このような課題を解決するために、本発明に係る請求項１に記載の溶液栽培用ベッドは、作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、前記底面部材の上面に、前記培地から廃液を回収可能とする廃液回収管が配設されているとともに、当該廃液回収管の上面に、前記培地が収容され、前記廃液回収管と前記側面部材との間に、間隙部材が介挿され、前記間隙部材は、前記側面部材との接触面から前記底面部材に向かって傾斜が形成されていることを特徴としている。
【０００９】
本発明に係る請求項２に記載の養液栽培用栽培ベッドは、作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、前記底面部材、前記側面部材、及び前記端面部材が、前記底面部材の下面に配置される本体部と、当該本体部の短手方向両端から立ち上がる側壁部と、を備えた受け皿の上に組み立てられており、前記底面部材の上面に、前記培地から廃液を回収可能とする廃液回収管が配設されているとともに、当該廃液回収管の上面に、前記培地が収容され、前記廃液回収管と前記側面部材との間に、間隙部材が介挿され、前記間隙部材は、前記側面部材との接触面から前記底面部材に向かって傾斜が形成されていることを特徴としている。
【００１０】
本発明に係る請求項３に記載の養液栽培用栽培ベッドは、作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、前記底面部材、前記側面部材、及び前記端面部材が、支持材によって箱形に支持されており、前記底面部材の上面に、前記培地から廃液を回収可能とする廃液回収管が配設されているとともに、当該廃液回収管の上面に、前記培地が収容され、前記廃液回収管と前記側面部材との間に、間隙部材が介挿され、前記間隙部材は、前記側面部材との接触面から前記底面部材に向かって傾斜が形成されていることを特徴としている。
本発明に係る請求項４に記載の養液栽培用栽培ベッドは、作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、前記底面部材、前記側面部材、及び前記端面部材が、前記底面部材の下面に配置される本体部と、当該本体部の短手方向両端から立ち上がる側壁部と、を備えた受け皿の上に組み立てられており、前記底面部材、前記側面部材、及び前記端面部材が、支持材によって箱形に支持されており、前記底面部材の上面に、前記培地から廃液を回収可能とする廃液回収管が配設されているとともに、当該廃液回収管の上面に、前記培地が収容され、前記廃液回収管と前記側面部材との間に、間隙部材が介挿され、前記間隙部材は、前記側面部材との接触面から前記底面部材に向かって傾斜が形成されていることを特徴としている。
【００１１】
本発明に係る請求項５に記載の養液栽培用栽培ベッドは、作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、前記底面部材の上面に、前記培地から廃液を回収可能とする廃液回収管が配設されているとともに、当該廃液回収管の上面に、前記培地が収容され、前記廃液回収管は、前記培地との接触面に廃液回収孔が形成され、前記廃液回収管と前記側面部材との間に、間隙部材が介挿され、前記間隙部材は、前記側面部材との接触面から前記底面部材に向かって傾斜が形成されていることを特徴としている。
本発明に係る請求項６に記載の養液栽培用栽培ベッドは、作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、前記底面部材、前記側面部材、及び前記端面部材が、前記底面部材の下面に配置される本体部と、当該本体部の短手方向両端から立ち上がる側壁部と、を備えた受け皿の上に組み立てられており、前記底面部材の上面に、前記培地から廃液を回収可能とする廃液回収管が配設されているとともに、当該廃液回収管の上面に、前記培地が収容され、前記廃液回収管は、前記培地との接触面に廃液回収孔が形成され、前記廃液回収管と前記側面部材との間に、間隙部材が介挿され、前記間隙部材は、前記側面部材との接触面から前記底面部材に向かって傾斜が形成されていることを特徴としている。
【００１２】
本発明に係る請求項７に記載の養液栽培用栽培ベッドは、作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、前記底面部材、前記側面部材、及び前記端面部材が、支持材によって箱形に支持されており、前記底面部材の上面に、前記培地から廃液を回収可能とする廃液回収管が配設されているとともに、当該廃液回収管の上面に、前記培地が収容され、前記廃液回収管は、前記培地との接触面に廃液回収孔が形成され、前記廃液回収管と前記側面部材との間に、間隙部材が介挿され、前記間隙部材は、前記側面部材との接触面から前記底面部材に向かって傾斜が形成されていることを特徴としている。
本発明に係る請求項８に記載の養液栽培用栽培ベッドは、作物を定植させる培地を収容する養液栽培用栽培ベッドであって、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成され、前記底面部材、前記側面部材、及び前記端面部材が、前記底面部材の下面に配置される本体部と、当該本体部の短手方向両端から立ち上がる側壁部と、を備えた受け皿の上に組み立てられて、前記底面部材、前記側面部材、及び前記端面部材が、支持材によって箱形に支持されており、前記底面部材の上面に、前記培地から廃液を回収可能とする廃液回収管が配設されているとともに、当該廃液回収管の上面に、前記培地が収容され、前記廃液回収管は、前記培地との接触面に廃液回収孔が形成され、前記廃液回収管と前記側面部材との間に、間隙部材が介挿され、前記間隙部材は、前記側面部材との接触面から前記底面部材に向かって傾斜が形成されていることを特徴としている。
【００１６】
本発明に係る養液栽培用栽培ベッドによれば、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成したことによって、従来のような一体成形品と比べて簡易な構造であるため、栽培ベッドの製造にかかるコストを大幅に低減させることが可能となる。
【００１７】
また、別体で構成された底面部材、側面部材、及び端面部材を備え、現場で組み立てて箱形に構成するようにしたことによって、搬送性を大幅に向上させるとともに、様々な寸法・形態を有する現場に対応した栽培ベッドを形成することが可能となる。
さらに、底面部材、側面部材、或いは端面部材の一部に破損が生じた際に、従来のように栽培ベッド全体を交換・補修するのではなく、破損が生じた最小限の部材のみを交換・補修することができる。よって、補修作業にかかる作業効率及びコストを大幅に削減することが可能となる。
【００１８】
本発明に係る養液栽培用栽培ベッドによれば、底面部材、側面部材、及び端面部材が、底面部材の下面に配置される本体部と、当該本体部の短手方向両端から立ち上がる側壁部と、を備えた受け皿の上に組み立てられていることによって、それぞれの部材を接着しなくても、箱形に形成することが可能となる。よって、栽培ベッドの組み立てにかかる作業効率を向上させることが可能となる。
【００１９】
本発明に係る養液栽培用栽培ベッドによれば、底面部材、側面部材、及び端面部材を、支持材によって箱形に支持したことによって、栽培ベッド内部に収容する培地の自重に耐え、栽培ベッドを箱形に支持することが可能となる。また、この支持材によって、養液栽培用栽培ベッドの高さ位置及び勾配を容易且つ確実に変えることが可能となる。
【００２０】
本発明に係る養液栽培用栽培ベッドによれば、養液栽培用栽培ベッドを構成する底面部材の上面に廃液回収管を配設したことによって、栽培ベッド自体の構造をより簡易なものにすることができるため、栽培ベッドの製造に要するコストを大幅に削減できるとともに、栽培ベッド内の洗浄を容易に行うことが可能となる。
【００２１】
本発明に係る養液栽培用栽培ベッドによれば、廃液回収管において、培地との接触面に廃液回収孔を形成したことによって、培地から排出される廃液を容易に回収可能となるため、根腐れや微生物の発生を抑制し、作物を効率よく栽培することが可能となる。また、この廃液回収孔の個数、孔径、或いは廃液回収管の直径を変えることで、簡単に排出量を調整できるため、培地内の給排水の調整を容易に行うことが可能となる。
【００２２】
本発明に係る養液栽培用栽培ベッドによれば、廃液回収管と側面部材との間に間隙部材を介挿したことによって、廃液回収管を養液栽培用栽培ベッドの中心部に位置合わせをすることが可能となるため、効果的に廃液を回収することが可能となる。
本発明に係る養液栽培用栽培ベッドによれば、間隙部材における側面部材との接触面から底面部材に向かう傾斜を形成したことによって、培地から排出される廃液が廃液回収管に向かって落下するようになるため、より効果的に廃液を回収することが可能となる。
【００２７】
【発明の実施の形態】
以下、本発明の実施形態について図面を参照して説明する。
図１は、本発明における養液栽培用栽培ベッドの一構成例を示し、（ａ）は斜視図、（ｂ）は底面図である。図２は、図１における養液栽培用栽培ベッドのＡ−Ａ線に沿った断面図である。
【００２８】
本実施形態における養液栽培用栽培ベッド１０は、図１及び図２に示すように、別体から構成された、長手方向に延びる底面部材１と、この底面部材１の長手方向に直交する短手方向両端から立ち上がる側面部材２と、底面部材１の長手方向両端から立ち上がる端面部材３とが、受け皿４の上に組み立てられて細長い箱形に構成されている。ここで、本実施形態における養液栽培用栽培ベッド１０は、３つの底面部材１と、６つの側面部材２と、２つの端面部材３とから構成した例について説明する。
【００２９】
この養液栽培用栽培ベッド１０は、箱形の縦方向（図１におけるＸ方向）、横方向（図１におけるＹ方向）、奥行き方向（図１におけるＺ方向）にそれぞれ架け渡した複数の支持材２０で組み立てられた架台上に、養液栽培用栽培ベッド１０の全体が長手方向に１／１００程度の勾配を有するように載置されている。この架台を支える支持材２０は、その位置を変えることで養液栽培用栽培ベッド１０の高さ位置及び勾配を変更可能であるとともに、この養液栽培用栽培ベッド１０を構成する側面部材２を箱形に保持するための機能を有している。
【００３０】
ここで、底面部材１、側面部材２、及び端面部材３の形状は、少なくとも箱形の養液栽培用栽培ベッド１０を形成可能であれば特に限定されないが、搬送性、加工性、及びコストなどを考慮して、平板状で略矩形状であることが好ましい。なお、厚みや形状は、底面部材１、側面部材２、及び端面部材３で同一厚みとしてもよいし、異なる厚みとしてもよい。
【００３１】
また、底面部材１、側面部材２、及び端面部材３を構成する材料は、少なくとも養液栽培用栽培ベッド１０内部に収容された培地３０を支持する強度があれば特に限定されず、例えば、木材、金属材、樹脂材などを用いることができる。特に、断熱性、搬送性、加工性、及びコストなどを考慮して、発泡スチロールを用いることが好ましい。なお、底面部材１、側面部材２、端面部材３は同一の材料で構成してもよいし、異なる材料で構成してもよいが、コストや加工性などを考慮して、同一の材料から構成することが好ましい。
【００３２】
受け皿４は、平板状の本体部４ａと、この本体部４ａの短手方向（図１（ｂ）における上下方向）両端から立ち上がる一対の側壁部４ｂと、から構成されている。この受け皿４を構成する材料は、養液栽培用栽培ベッド１０に収容された培地３０を支持する強度があれば、特に限定されず、例えば、鉄やアルミニウムなどのプレスした金属板が挙げられる。
【００３３】
支持材２０は、特に限定されないが、例えば、木材、金属材、樹脂材などの棒状素材などが挙げられる。この支持材２０を縦方向、横方向、奥行き方向に架け渡して組み立てる場合の支持材２０間の接合方法は、その支持材２０を構成する材料によって異なるが、例えば、溶接によって接合してもよいし、紐やジョイント部材などを用いて接合してもよい。
【００３４】
この養液栽培用栽培ベッド１０には、作物を定植するための培地３０が収容されるとともに、この培地３０の下面には、培地３０からの廃液を回収する廃液回収管４０と、培地３０の温度を調節する温調用パイプ（温度調節手段）５０とが具備されている。また、培地３０の上面には、培地３０へ養液を供給する養液供給管６０が具備されている。さらに、養液栽培用栽培ベッド１０には、その内面全体を被覆する防水シート７０が、廃液回収管４０の下面を通って敷設されているとともに、この防水シート７０の上面には、透水性の防根シート８０が、廃液回収管４０の上面を通って敷設されている。
【００３５】
培地３０は、養液栽培用栽培ベッド内に収容した下層培地３０Ａと、この下層培地３０Ａの上面に載置したブロック状の複数の上層培地３０Ｂとから構成されている。ここで、上層培地３０Ｂは、既に別の培地で苗として生育させた植物を、培地毎移動してきて載置したものである。
下層培地３０Ａは、上層培地３０Ｂとして用いる材料よりも排水性の高い多孔質素材を用いることが好ましく、例えば、セルロースを主体とする植物性残渣炭化物などが挙げられる。この植物性残渣炭化物としては、オガクズを原料とするオガ炭や、ビール粕を原料とするビール粕成形炭などが挙げられる。特に、ビール粕成形炭は、たんぱく質やミネラル（ＮやＰなど）を豊富に含んだ大麦の穀皮であるビール粕を成形・炭化したものであり、作物の生育に必要なミネラル分が豊富に含まれているとともに、水はけがよいため、給排水の調整が必要とされる養液栽培用培地としてより好ましい。
【００３６】
上層培地３０Ｂは、ミネラル分を含まない無機質の保水性素材を用いることが好ましく、例えば、ロックウールやウレタンなどの材料が好適に用いられる。
廃液回収管４０は、例えば、外周面にわたって複数の孔を有する塩化ビニル製の円筒などから構成され、養液栽培用栽培ベッド１０の長手方向（図１（ａ）における奥行き方向）に延在するように、底面部材１の上面に配設されている。この廃液回収管４０において、培地３０と接する部分の孔は、過剰な養液を回収可能な複数の廃液回収孔４０ａとして機能している。また、廃液回収管４０と側面部材２との間には間隙部材５が介挿されており、廃液回収管４０が養液栽培用栽培ベッド１０の長手方向中心部に配置させている。さらに、廃液回収管４０の下流側には、廃液を回収する外部タンク（図示せず）が接続されており、この外部タンクと廃液回収管４０とは、廃液回収管４０の下流側に位置する端面部材３を貫通して配設された配管４１を介して接続されている。
【００３７】
間隙部材５は、例えば、上述した底面部材１、側面部材２、或いは端面部材３と同様の材料からなる平板などから構成され、養液栽培用栽培ベッド１０の長手方向に延在するように、廃液回収管４０と側面部材２との隙間に介挿されている。また、この間隙部材５は、培地３０から排出される廃液を効率よく廃液回収管４０に回収するために、側面部材２との接触面から底面部材１に向かう傾斜面５ａが形成されており、この傾斜角θは４５°以上９０°以下の範囲とするのが好ましい。
【００３８】
温調用パイプ５０は、廃液回収管４０と培地３０との間に、養液栽培用栽培ベッド１０の長手方向に延在するように配設されており、培地３０の温度を調節するようになっている。なお、温調用パイプ５０の形状は、これに限らず、養液栽培用栽培ベッド１０の長手方向に二本配設し、養液栽培用栽培ベッド１０の末端で折り返すことにより、養液栽培用栽培ベッド１０の全長にわたる放熱量を均一にするようにしてもよい。
【００３９】
また、養液供給管６０は、例えば、等間隔に複数の養液供給口が設けられた配管などから構成され、養液栽培用栽培ベッド１０の長手方向に延在するように、上層培地３０Ｂが載置されていない下層培地３０Ａの上面に配設されている。この養液供給管６０の一端には、養液や水分が貯留された養液タンク（図示せず）が接続されており、この養液タンクから供給される養液や水分を養液供給口から培地３０に供給するようになっている。
【００４０】
防水シート７０は、防水性を有し、養液栽培用栽培ベッド１０を構成する底面部材１、側面部材２、及び端面部材３への水分の漏出を防止できる素材であれば、特に限定されないが、例えば、塩化ビニルなどの材料が挙げられる。
防根シート８０は、透水性を有し、廃液回収管４０の廃液回収孔４０ａへの根の侵入を抑制可能とする素材であれば、特に限定されない。具体的には、ポリアミド系、ポリエステル系、ポリオレフィン系（ポリエチレン、ポリプロピレンなど）、或いはアクリロニトリル系繊維などが挙げられる。
【００４１】
次に、本実施形態における養液栽培用栽培ベッド１０の組み立て方法の一例について説明する。
まず、養液栽培用栽培ベッド１０の寸法に形成された受け皿４の側壁部４ｂに、二枚の側面部材２を対向するように立てた状態で押さえておく。
次いで、別の作業者が、受け皿４の本体部４ａにおける二枚の側面部材２間に、一枚の底面部材１を上面から押し込むことで、底面部材１と側面部材２とを組み立てる。
【００４２】
続いて、既に配置した底面部材１及び側面部２と接するように、順次側面部材２と底面部材１とを受け皿４上に組み立てていく。
そして、最後に、受け皿４の長手方向両端面に、それぞれの側面部材２と接するように、一対の端面部材３を立てた状態で押さえておく。そして、全ての側面部材２及び端面部材３と接するように、縦方向、横方向、奥行き方向の支持材２０を組んで接合して養液栽培用栽培ベッド１０を箱形に完成させる。このとき、養液栽培用栽培ベッド１０は、培地３０から回収される廃液を、外部に設けた外部タンクに回収可能とするために、養液栽培用栽培ベッド１０の長手方向に勾配を有するように、支持材２０で支持するようにする。
【００４３】
なお、本実施形態における養液栽培用栽培ベッド１０は、受け皿４の上に底面部材１、側面部材２、及び端面部材３を組み立て、その側面部材２及び端面部材３を支持材２０によって箱形に支持するようにしたが、底面部材１、側面部材２、及び端面部材３を組み合わせて箱形に構成するのであればこれに限らない。例えば、接着剤やシールなどによって底面部材１、側面部材２、及び端面部材３を接続して箱形に形成してもよいし、ねじやくぎなどの結合部材を用いて箱形に形成するようにしてもよい。このとき、底面部材１、側面部材２、及び端面部材３が培地３０を支持可能な強度を有するように接続できるのであれば、受け皿４を配設しないで構成するようにしてもかまわない。
【００４４】
次いで、この養液栽培用栽培ベッド１０の内部に、廃液回収管４０の位置あわせをするための一対の間隙部材５を、それぞれ側面部材２と接するように配設する。このとき、間隙部材５の傾斜面５ａは、その傾斜が側面部材２との接触面から底面部材１に向かうように上面に位置した状態で配設する。
次いで、養液栽培用栽培ベッド１０の内面全体を被覆するように、防水シート７０を敷設する。
【００４５】
次いで、この間隙部材５の間に、廃液回収管４０を配設するとともに、廃液回収管４０の下流側に位置する端面部材３に開口部（図示せず）を形成し、この開口部に外部タンクと接続させる配管４１を配設する。なお、この開口部は、養液栽培用栽培ベッド１０を組み立てる途中で端面部材３に形成するようにしてもよいが、養液栽培用栽培ベッド１０を組み立てる前に予め端面部材３に開口部を形成しておき、この端面部材３を用いて養液栽培用栽培ベッド１０を組み立てるようにしてもかまわない。
【００４６】
次いで、廃液回収管４０及び間隙部材５の上面に、養液栽培用栽培ベッド１０の内部を被覆する防根シート８０で敷設する。
次いで、防根シート８０を介して、廃液回収管４０の上面に温調パイプ５０を配設した後、養液栽培用栽培ベッド１０内部に下層培地３０Ａを埋め込む。ここで、養液栽培用栽培ベッド１０内に収容する下層培地３０Ａの量は、栽培する作物種によって異なるが、例えば、養液栽培用栽培ベッド１０の高さ寸法の３０〜６０％となる量を収容することが望ましい。
【００４７】
次いで、下層培地３０Ａの上面を平らにならした後、この下層培地３０Ａの上面に、別の培地で既に苗が生育された複数の上層培地３０Ｂを養液栽培用栽培ベッド１０の長手方向に沿って直線状に載置する。このとき、各上層培地３０Ｂ間は、それぞれ所定間隔を空けて載置するようにしてもよいし、間隙を空けずに載置するようにしてもよい。
【００４８】
次いで、上層培地３０Ｂが載置されていない下層培地３０Ａの上面に、養液栽培用栽培ベッド１０の長手方向に延在するように、養液供給管６０を配設する。このように、本実施形態における養液栽培用栽培ベッド１０によれば、作物を定植させる培地３０を収容する養液栽培用栽培ベッド１０を、底面部材１、側面部材２、及び端面部材３とを別々に具備し、これらを組み合わせることで構成したことによって、従来のような一体成形品と比べて簡易な構造となるため、養液栽培用栽培ベッド１０の製造にかかるコストを大幅に低減させることが可能となる。
【００４９】
また、底面部材１、側面部材２、及び端面部材３とを別々に具備し、現場で組み合わせるようにしたことによって、搬送性を大幅に向上させるとともに、様々な寸法・形態を有する現場に対応した養液栽培用栽培ベッド１０を形成することが可能となる。このとき、底面部材１、側面部材２、及び端面部材３とを受け皿４上に組み立て、支持材２０で支持するようにしたことで、それぞれの部材を容易に箱形に組み立てることができるとともに、それぞれの部材間を接着する作業が不要となる。このため、養液栽培用栽培ベッド１０の組み立てにかかる作業効率を大幅に向上させることが可能となる。
【００５０】
さらに、底面部材１、側面部材２、或いは端面部材３の一部に破損が生じた際に、従来のように養液栽培用栽培ベッド１０全体を交換・補修するのではなく、破損が生じた最小限の部材のみを交換・補修することができる。よって、補修作業にかかる作業効率及びコストを大幅に削減することが可能となる。
さらに、養液栽培用栽培ベッド１０から排出される廃液を回収する廃液回収管４０を養液栽培用栽培ベッド１０とは別個に形成したことによって、養液栽培用栽培ベッド１０の製造にかかるコストを削減するとともに、養液栽培用栽培ベッド１０内の洗浄を容易に行うことが可能となる。
〔第二実施形態〕
図３は、本発明の養液栽培用栽培ベッドの他の構成例を示す斜視図である。図４は、図３における養液栽培用栽培ベッドのＢ−Ｂ線に沿った断面図である。
【００５１】
本実施形態の養液栽培用栽培ベッド１０Ａは、図３及び図４に示すように、第一実施形態における養液栽培用栽培ベッド１０において、廃液回収管４０から外部タンク（図示せず）へ廃液を排出する配管４１の構成が異なるものである。
すなわち、本実施形態における配管４１は、養液栽培用栽培ベッド１０Ａを構成する底面部材１及び受け皿４の本体部４ａに廃液回収管４０と外部タンクとを連通させる開口部が形成されており、この開口部に、廃液回収管４０と外部タンクとを接続する配管４１が配設されている。
【００５２】
次に、本実施形態における養液栽培用栽培ベッド１０Ａの組み立て方法について説明する。
まず、第一実施形態と同様の手順で、受け皿４の上面に、底面部材１と側面部材２とを組み立てる。このとき、受け皿４と底面部材１には、既に配管４１を貫通させる開口部が形成されているものを組み立てる。また、受け皿４と底面部材１とを隙間が空くように設置しておき、開口部を形成することもできる。
【００５３】
次いで、第一実施形態と同様の手順で、底面部材１の長手方向両端に、それぞれ側面部材２と接するように一対の間隙部材５を配設する。
次いで、養液栽培用栽培ベッド１０Ａの内面全体を被覆するように、防水シート７０を敷設する。そして、受け皿４の下面から、外部タンクに接続される配管４１と連結されたソケット４２を底面部材１の開口部に立ち上げ、防水シート７０の上部より固定リング７１をソケット４２に防水シート７０とともに嵌合させた後、防水シート７０のソケット４２の閉塞する部分を切り取り開口する。その後、廃液回収管４０を一対の間隙部材５の間に配設することで、養液栽培用栽培ベッド１０Ａを完成させる。
【００５４】
このように、養液栽培用栽培ベッド１０Ａから排出される廃液を、養液栽培用栽培ベッド１０Ａの底面から垂直に延びる配管４１を介して排出するようにすることによって、第一実施形態の養液栽培用栽培ベッド１０のようにベッド本体に微妙な傾斜を形成することなく配設することが可能となる。
〔第三実施形態〕
図５は、本発明の養液栽培用栽培ベッドの他の構成例を示す断面図である。
【００５５】
本実施形態の養液栽培用栽培ベッド１０Ｂは、第一実施形態における養液栽培用栽培ベッド１０において、培地３０の構成のみが異なるものである。
すなわち、本実施形態における下層培地３０Ａは、図５に示すように、排水性の高い多孔質素材からなる第一下層培地３１と、この上面に積層され、保水性素材からなる第二下層培地３２との二層構造としている。
【００５６】
ここで、第一下層培地３１を構成する多孔質素材や、第二下層培地３２を構成する保水性素材は、第一実施形態で示したものと同様の材料を用いることができる。
このように、養液栽培用栽培ベッド１０Ｂ内に収容される下層培地３０Ａとして、排水性の高い多孔質素材からなる第一下層培地３１の上面に、保水性素材からなる第二下層培地３２を積層したことによって、第一下層培地３１の表面乾燥を抑制することが可能となる。よって、培地３０の保水性をより向上させることができ、養液栽培を効果的に行うことが可能となる。
【００５７】
なお、上述した第一乃至第三の実施形態における養液栽培用栽培ベッド１０、１０Ａ、１０Ｂは、複数の底面部材１と、複数の側面部材２とを縦方向に並べて組み立てることで、細長い箱形の構造としているが、少なくとも底面部材１と側面部材２とを組み立てて構成するのであればこれに限らない。例えば、養液栽培用栽培ベッドの寸法に応じた一つの底面部材１と二つの側面部材２と、二つの端面部材３とを組み合わせて箱形に構成するようにしてもよい。しかし、搬送性、作業性、コストを考慮した場合、底面部材１及び側面部材２は、複数で構成することが好ましい。
【００５８】
また、上述した第一乃至第三の実施形態における養液栽培用栽培ベッド１０、１０Ａ、１０Ｂに収容した培地３０は、これに限らず、例えば、下層培地３０Ａ或いは第一下層培地３１として適用した多孔質素材のみで構成するようにしてもよい。
さらに、上述した第一乃至第三の実施形態における養液栽培用栽培ベッド１０、１０Ａ、１０Ｂの受け皿４は、底面部材１の下面に配置される本体部４ａと、この本体部４ａの短手方向両端から立ち上がり側面部材２を支持する側壁部４ｂと、から構成したが、これに限らず、本体部４ａ及び側壁部４ｂ以外に、本体部４ａの長手方向両端から立ち上がり端面部材３を支持する側壁部が形成されていてもかまわない。
【００５９】
【発明の効果】
以上説明したように、本発明の養液栽培用栽培ベッドによれば、別体で構成された、長手方向に延びる底面部材と、当該底面部材の長手方向に直交する短手方向両端から立ち上がる側面部材と、前記底面部材の長手方向両端から立ち上がる端面部材とを組み立てて箱形に構成したことによって、栽培ベッドの製造及び補修にかかるコストを大幅に低減させるとともに、取り扱い性及び搬送性を向上させることが可能となる。
【図面の簡単な説明】
【図１】本発明における養液栽培用栽培ベッドの一構成例を示し、（ａ）は斜視図、（ｂ）は底面図である。
【図２】図１における養液栽培用栽培ベッドのＡ−Ａ線に沿った断面図である。
【図３】本発明における養液栽培用栽培ベッドの他の構成例を示す斜視図である。
【図４】図３における養液栽培用栽培ベッドのＢ−Ｂ線に沿った断面図である。
【図５】本発明における養液栽培用栽培ベッドの他の構成例を示す断面図である。
【符号の説明】
１            底面部材
２            側面部材
３            端面部材
４            受け皿
４ａ          本体部
４ｂ          側壁部
５            間隙部材
５ａ          傾斜面
１０          養液栽培用栽培ベッド
２０          支持材
３０          培地
３０Ａ        下層培地
３０Ｂ        上層培地
３１          第一の下層培地
３２          第二の下層培地
４０          廃液回収管
４０ａ        廃液回収孔
４１          配管
４２          ソケット
５０          温調用パイプ（温度調整手段）
６０          養液供給管
７０          防水シート
７１          防水シート固定リング
８０          防根シート
【図１】
0003659416.tif 000002
【図２】
0003659416.tif 000003
【図３】
0003659416.tif 000004
【図４】
0003659416.tif 000005
【図５】
0003659416.tif 000006